(57)【要約】【課題】  錠止レバーをフロント板から振り出したり引っ込めたりするタイプの錠止機構において、フロント板の振り出し開口の塞ぎ切れなかった穴を閉塞することができる新規な不施解錠防止機構を提供する。【解決手段】  錠止レバー６の内側の側面に沿って閉塞板２６を設け、その基端部を錠止レバー軸と平行な閉塞板軸２７により回動自在に支承すると共に、その先端部を錠止レバーの内側端縁に近接する方向に付勢し、一方、閉塞板の先端に錠止レバーから離間する方向に折れ曲がった折曲げ部を形成し、この折曲げ部の位置を、錠止レバーが振り出されるとき上記振り出し開口の内側開口端縁部に係合するように設定し、他方、錠止レバーが振り出し開口から完全に振り出されて施錠状態となったとき、閉塞板の基端に内側から係合する係合段部２９を錠止レバーの内側の側面に形成する。【選択図】  図２
2008169590.tif 000002
【特許請求の範囲】
【請求項１】
錠箱を厚さ方向に貫通する方向の錠止レバー軸により、中央部を回動自在に支承された錠止レバーを有し、施錠時錠箱のフロント板に開口した振り出し開口から錠止レバーの先端部を振り出してストライク孔に係入させるものにおいて、錠止レバーの内側端縁に沿って閉塞板を設け、その基端部を、錠止レバー軸と平行な閉塞板軸により、錠止レバーの内側端縁部近傍に回動自在に支承すると共に、その先端部を錠止レバーの内側の側面に近接する方向に付勢し、一方、閉塞板の先端に錠止レバーから離間する方向に折れ曲がった折曲げ部を形成し、この折曲げ部の位置を、錠止レバーが振り出されるとき上記振り出し開口の内側開口端縁部に係合するように設定し、他方、錠止レバーが振り出し開口から完全に振り出されて施錠状態となったとき、閉塞板の基端に係合する係合段部を錠止レバーに形成したことを特徴とする不正解錠防止機構。
【発明の詳細な説明】
【技術分野】
【０００１】
この発明は、不正解錠防止機構に係り、特に、錠止レバーを錠箱のフロント板から出没させる形式ではなく、錠箱を厚さ方向に貫通する方向の回動軸により錠止レバーをフロント板から振り出したり引っ込めたりする新規な錠止機構の不正解錠防止機構に関する。
【背景技術】
【０００２】
本出願人は、先に、後記特許文献１を以て、新規な錠止機構を提案した。
この錠止機構は、錠箱を厚さ方向に貫通する方向の錠止レバー軸により中央部を回動自在に支承され、錠箱の振り出し開口から振り出されることにより一端部をストライク孔に振り入れて錠止するものである。
【特許文献１】特願２００６−３５３３９４
【発明の開示】
【発明が解決しようとする課題】
【０００３】
上記した形式の新規な錠止機構は、厚板製の錠止レバーの幅が長さに較べて短いため、錠止レバーを完全に振り出した施錠状態において、上記振り出し開口の一部が錠止レバーで塞ぎ切れず、所謂穴開き（あき）状態となる。
【０００４】
そのため、上記特許文献１に記載された狭框扉錠においては、上記振り出し開口の塞ぎ切れなかった穴から針金等を通して内部の機構を操作し、不正解錠することは非常に困難ではあるが不可能ではない、等未だ改良の余地がある。
【０００５】
そこで、この発明は、錠止レバーをフロント板から振り出したり引っ込めたりするタイプの錠止機構において、フロント板の振り出し開口の塞ぎ切れなかった穴を閉塞することができる新規な不施解錠防止機構を提供し、以て上記した不都合を解消することを目的としている。
【課題を解決するための手段】
【０００６】
上記の目的を達成するため、この発明は、錠箱を厚さ方向に貫通する方向の錠止レバー軸により、中央部を回動自在に支承された錠止レバーを有し、施錠時錠箱のフロント板に開口した振り出し開口から錠止レバーの先端部を振り出してストライク孔に係入させるものにおいて、錠止レバーの内側端縁に沿って閉塞板を設け、その基端部を、錠止レバー軸と平行な閉塞板軸により、錠止レバーの内側の側端縁部近傍に回動自在に支承すると共に、その先端部を錠止レバーの内側の側面に近接する方向に付勢し、一方、閉塞板の先端に錠止レバーから離間する方向に折れ曲がった折曲げ部を形成し、この折曲げ部の位置を、錠止レバーが振り出されるとき上記振り出し開口の内側開口端縁部に係合するように設定し、他方、錠止レバーが振り出し開口から完全に振り出されて施錠状態となったとき、閉塞板の基端に係合する係合段部を錠止レバーに形成したことを特徴とする。
【発明の効果】
【０００７】
上記のように構成された請求項１に記載の発明は、施錠のため錠止レバーが振り出し開口から振り出されるとき、その途中において閉塞板の先端の折曲げ部が振り出し開口の内側開口端縁部に係合し、以降閉塞板を振り出し開口部を閉塞する態様で錠箱内に残して錠止レバーのみが錠箱から振り出されるので、錠止レバーと共に振り出し開口を完全に閉塞することができ、したがって不正解錠を皆無にする、という所期の効果を奏する。
【発明を実施するための最良の形態】
【０００８】
振り出し開口から振り出される錠止レバーの内側端縁に沿って閉塞板を設け、その先端が錠止レバーに近接する方向に付勢すると共に、施錠時、閉塞板の先端の折曲げ部を振り出し開口の開口端縁部に引っ掛けて自動的に錠止レバーから引き剥がすようにして振り出し開口を閉塞するようにし、反対に、解錠時その付勢力により自動的に錠止レバーに重なるようにした。
【実施例１】
【０００９】
以下、この発明の一実施例を図面を参照して説明する。
なお、この発明の付勢解錠防止機構は、錠止レバーが振り出し開口から振り出されるタイプの錠止機構の全てに適用可能であるが、以下の実施例では、前記特許文献１に記載された狭框扉錠に適用した場合を示す。
【００１０】
図１及び図２において符号１は狭框扉錠の錠箱を示し、この錠箱１は、例えばエンジンドアと称される電動引戸の下端に装着される。
【００１１】
この錠箱１内に夫々蛇の目形の第１及び第２駆動歯車２、３が回動可能に案内されており、その中央に配設されたアイドルギア４を介して相互に連結されている。
【００１２】
上記第１駆動歯車２には錠前シリンダ及びサムターンシリンダ或いは他の錠前シリンダの一方が、第２駆動歯車３には他方が夫々連係され、合鍵、又はサムターンの操作により連動して回動するように構成されている。
【００１３】
上記した狭框扉錠のシリンダ錠やサムターンと駆動歯車２、３との連係の態様は周知であるから、ここでは更に詳細な説明は省略する。
【００１４】
なお、図１、２において符号５は思案ばねを示し、この思案ばね５は合鍵又はサムターンの操作にスナップアクション性を付与する。
【００１５】
一方、図１及び図２において符号６は錠止レバーを示し、図示の実施例における錠止レバー６は全体の形状が略矩形の厚板で、錠箱１を厚さ方向（図１、２で紙面方向）に貫通する錠止レバー軸７により、中央部を回動自在に支承されている。
【００１６】
この錠止レバー６は、図１に示す解錠状態では全体が錠箱１内に完全に引っ込められているが、図２に示すように少し施錠方向に回動し始めると、その一端部が錠箱の振り出し開口８から振り出され、図８に示す施錠状態では、図示しないストライク孔に係入する。
【００１７】
他方、図１及び図に示す錠箱１の右上隅部には、錠止レバーの他端部と一部重合する態様で、スライダ９が水平方向（図で左右方向）に移動可能に案内されている。
【００１８】
このスライダ９の図における左端部に開口した縦長の第１係合穴１１には、伝達機構１２を構成する第３駆動歯車１３に植設された第１係合ピン１４が摺動可能に係合している。
【００１９】
上記第３駆動歯車１３は第２駆動歯車３と噛み合っているので、合鍵又はサムターンの操作により第３駆動歯車１３も回動し、スライダ９が水平方向に駆動される。
【００２０】
また、錠止レバー６の他端部には略ダルマ形の第２係合穴１４が開口しており、この第２係合穴１４には、スライダ９を厚さ方向に貫通して一端が錠箱の側板に開口した水平なガイド孔１６（図１参照）に係合する第２係合ピン１７が遊嵌している。
【００２１】
上記した構成により、スライダ９の左方への移動に伴って第２係合ピン１７が錠止レバーを駆動し、錠止レバー６が反時計方向（施錠方向）に回動し始めると共に、第２係合ピン１７とガイド孔１６との係合により、スライダ９が水平方向に移動可能に案内される。
【００２２】
なお、図１において符号１０はねじりコイルばねを示し、このねじりコイルばね１０は、錠止レバー６の他端部に植設されたピン（図面を明瞭にするため付番を省略する）にコイル部を巻装し、その一端を上記第２係合ピン１７に弾接させると共に、他端を錠止レバーの面に形成された図示しない溝に係合させている。
【００２３】
このねじりコイルばね１０はスライダ９の動きにスナップアクション性を付与する。
【００２４】
一方、図示の実施例では、上記第３駆動歯車１３の回動軸１８と同軸にセクターギア１９（図２参照）が回動可能に支承されており、このセクターギア１９はスライダ９に形成されたラック２１（図２参照）と噛み合っている。
【００２５】
このセクターギア１９とラック２１との噛み合いは、また、スライダ９の案内機構の一部を構成している。
【００２６】
更にまた、セクターギア１９の所定の角度位置における部分が半径方向に延伸して制御レバー２２を形成している。
【００２７】
上記した構成により、スライダ９が左方、すなわち施錠方向に移動すると、ラック２１を介してスライダ９に連係されたセクターギア１９が反時計方向に回動し、セクターギア１９と一体の制御レバー２２も反時計方向に回動する。
【００２８】
このとき、図１乃至図８に示すように、制御レバー２２の先端は、振り出し開口８から振り出される錠止レバー６を掠めるように反時計方向に回動する。
【００２９】
他方、図１及び図２に示すように、錠箱の右上隅部のスライダ９より更に右方に、一端（図で右端）を錠箱側面に回動自在に支承されると共に、他端の自由端が時計方向に付勢されたロックレバー２３が配設されている。
【００３０】
このロックレバー２３の先端（自由端）は、図４に示すように、施錠角度位置にまで振り出された錠止レバー６の他端部に形成された衝止段部２４（図２参照）と係合し、これを衝止する。
【００３１】
換言すれば、錠止レバー６を解錠方向（時計方向）に回動させようとする外力はロックレバー２３の長さ方向に作用し、その回動軸に坦持される。
【００３２】
また、図２に示すように、リリースレバー２５が配設されている。
図示の実施例におけるリリースレバー２５は、全体の形状が略へ字形で、その凸部を外側に向けて中央部を錠止レバー６の他端部に回動可能に支承されている。
【００３３】
このリリースレバー２５の寸法、形状は、図４に示すような制御レバー２２の施錠完了の角度位置より前の角度位置、或いは解錠方向への回動の初期の角度位置において制御レバー２２の先端と干渉し、これに押動されるように、換言すれば、他端が反時計方向に跳ね上がってロックレバー２３の先端と錠止レバーの衝止段部２４との係合を解くことができるように設定されている。
【００３４】
その結果、合鍵またはサムターンを解錠方向に回動させる初期の段階において、ロックレバー２３による錠止レバー６の衝止を解き、解錠操作を円滑に開始できるようになる。
【００３５】
上記した錠止レバーの駆動機構はこの発明による不正解錠防止機構の合目的的構成であり、次に、この発明の要旨である不正解錠防止機構について説明する。
【００３６】
図２及び図３において符号２６は閉塞板を示し、この閉塞板２６は、振り出し開口８の幅とほぼ同じ幅の板状体であり、錠止レバー８の内側端縁に沿って延在すると共に、その基端部を錠止レバー軸７と平行な閉塞板軸２７により、錠止レバー８の内側端縁部近傍に回動自在に軸支されている。
【００３７】
また、閉塞板２６は、閉塞板軸２７に巻装された捩りコイルばねとしての閉塞板ばね２８の弾力により、先端が錠止レバーの内側の側面に近接する方向に付勢されている。
【００３８】
なお、図示の実施例では、閉塞板ばね２８の一端が錠止レバー６の一面に形成された図示しないばね溝に填め込まれ、他端が閉塞板の基端部に掛け止められている（図示せず）。
【００３９】
一方、閉塞板２６の先端には錠止レバー６から離間する方向に折れ曲がった折曲げ部（図面を明瞭にするため付番しない）が形成されている。
【００４０】
この折曲げ部の位置は、錠止レバー６が振り出されるとき振り出し開口８の内側開口端縁部に係合するように（図２参照）設定されている。
【００４１】
他方、図３に示すように、錠止レバー６の内側端縁に、錠止レバー６が振り出し開口から完全に振り出されて施錠状態になったとき（図４参照）、閉塞板の基端に内側から係合する係合段部２９が形成されている。
【００４２】
上記のように構成された狭框扉錠の錠止機構及び不正解錠防止機構は、図１から図４への状態の変化が施錠を説明しており、反対に図４から図１への変化が解錠を説明している。
【００４３】
これらの変化の過程において、上記のように構成されたこの発明による不正解錠防止機構は、図２に示すように、施錠のため錠止レバー６が振り出し開口から振り出されると、閉塞板２６の先端の折曲げ部が振り出し開口の内側の開口端縁部と係合し、以降、錠止レバーの振り出しと共に閉塞板を振り出し開口８に残す態様で錠止レバー６のみが振り出され、図４に示すような施錠状態では、閉塞板２６の基端が上記係合段部２９に外側から係合する。
【００４４】
したがって、施錠状態では、図４に示すように、錠止レバー６と共に閉塞板２６が振り出し開口８を完全に閉塞し、錠箱内部への不正解錠のための工具の侵入を防ぐ。
【００４５】
一方、閉塞板２６を錠箱内に無理に押込もうとすると、その外力は閉塞板の基端部と上記係合段部２９との係合により衝止される。
【００４６】
図示の実施例では、図４に示すように、閉塞板２６の基端部に係止片３１が一体に結合されていて全体の形状が略への字形になっており、一方、錠止レバー６の一面に全体の形状が略扇形の凹陥部３２が形成され、上記係止片３１は凹陥部３２に係入している。
【００４７】
そして、図４に示す施錠状態では、上記係止片３１は凹陥部３２の内面である別の係合段部２９に係合する。
【００４８】
すなわち、この発明における係合段部２９は、上記錠止レバー６の内側端縁に形成されたもの、及び上記凹陥部３２の内面の何れか一方或いは双方をいうものとする。
【実施例２】
【００４９】
なお、図示の実施例とは反対に、前記第３駆動歯車１３に半径に沿う係合穴(図示せず)を、スライダに係合ピンを夫々設けても良い（図１及び図２参照）。
【実施例３】
【００５０】
また、錠止レバーの駆動機構につき、図示の実施例とは反対に、錠止レバー６の方に係合ピンを、スライダの方に係合穴を夫々設けても良い。
【実施例４】
【００５１】
更にまた、全体の機構につき、将来図示の実施例のような狭框扉錠に限らず、錠前をコンピュータにより系統的に管理するシステムが考えられるが、この場合例えば錠止レバーをギアードモータで、制御レバーをソレノイドで夫々制御するシステムにおいても本発明による不正解錠防止機構の適用が可能である。
【図面の簡単な説明】
【００５２】
【図１】この発明の一実施例による不正解錠防止機構を有する狭框扉錠の側板を取り去って示す側面図で、解錠状態を示す。
【図２】この発明の一実施例による不正解錠防止機構を有する狭框扉錠の側板を取り去って示す側面図で、錠止レバーが少し振り出され施錠が始まった状態を示す。
【図３】この発明の一実施例による不正解錠防止機構を有する狭框扉錠の側板を取り去って示す側面図で、図２より更に錠止レバーが振り出された状態を示す。
【図４】この発明の一実施例による不正解錠防止機構を有する狭框扉錠の側板を取り去って示す側面図で、錠止レバーがほぼ完全に振り出された施錠状態を示す。
【符号の説明】
【００５３】
１  錠箱
２  第１駆動歯車
３  第２駆動歯車
４  アイドルギア
６  錠止レバー
７  錠止レバー軸
８  振り出し開口
９  スライダ
１１  第１係合穴
１２  伝達機構
１３  第３駆動歯車
１４  第１係合ピン
１５  第２係合穴
１６  ガイド孔
１７  第２係合ピン
１８  回動軸
１９  セクターギア
２１  ラック
２２  制御レバー
２３  ロックレバー
２４  衝止段部
２５  リリースレバー
２６  閉塞板
２７  閉塞板軸
２８  閉塞板ばね
２９  係合段部
３１  係止片
３２  凹陥部
【図１】
2008169590.tif 000003
【図２】
2008169590.tif 000004
【図３】
2008169590.tif 000005
【図４】
2008169590.tif 000006